(57)【特許請求の範囲】
【請求項１】
細長いシャフトの一部から放射状にブラシ毛が植設された内視鏡用ブラシを滅菌消毒時に支えるための内視鏡用ブラシ支持具であって、
高圧蒸気滅菌時の環境によって変形しない耐熱性材料によって形成されて、上記ブラシ毛が周囲の床面及び壁面に触れないように、少なくとも上記ブラシ毛近傍において上記シャフトを支持する支持部材を有することを特徴とする内視鏡用ブラシ支持具。
【請求項２】
上記シャフトが可撓性を有している請求項１記載の内視鏡用ブラシ支持具。
【請求項３】
上記支持部材が、立設された枠状に形成されていて、その壁部に、上記シャフトを通すための孔又は溝が形成されている請求項１又は２記載の内視鏡用ブラシ支持具。
【請求項４】
上記支持部材が、立設された塀状に形成されていて、その壁部に、上記シャフトを通すための孔又は溝が形成されている請求項１又は２記載の内視鏡用ブラシ支持具。
【請求項５】
上記支持部材が、弾力性を有する材料によって立設された板状に形成されていて、その板部に、上記シャフトを通すための孔又は溝が形成されている請求項１又は２記載の内視鏡用ブラシ支持具。
【発明の詳細な説明】
【０００１】
【発明の属する技術分野】
この発明は、内視鏡用ブラシを滅菌消毒時に支えるための内視鏡用ブラシ支持具に関する。
【０００２】
【従来の技術】
内視鏡に使用される付属品は、使用後には内視鏡と同様に滅菌消毒する必要があり、高圧蒸気滅菌装置に入れるのが最も効果的である。そこで従来は、高圧蒸気滅菌装置の棚に内視鏡用ブラシを載せて、内視鏡等と共に滅菌消毒を行っていた。
【０００３】
【発明が解決しようとする課題】
しかし、高圧蒸気滅菌装置内は相当な高温高圧（例えば１３２℃、２気圧）になるので、細いプラスチック繊維製のブラシ毛が、棚の床面に置かれて応力が加わった状態になっていると、図６に示されるように、次第に変形して元の形状に戻らなくなり、ブラシとしての性能が著しく劣化してしまう場合があった。
【０００４】
そこで本発明は、内視鏡用ブラシを高圧蒸気滅菌装置内で滅菌消毒する際にブラシ毛が変形しないように支持することのできる内視鏡用ブラシ支持具を提供することを目的とする。
【０００５】
【課題を解決するための手段】
上記の目的を達成するため、本発明の内視鏡用ブラシ支持具は、細長いシャフトの一部から放射状にブラシ毛が植設された内視鏡用ブラシを滅菌消毒時に支えるための内視鏡用ブラシ支持具であって、高圧蒸気滅菌時の環境によって変形しない耐熱性材料によって形成されて、上記ブラシ毛が周囲の床面及び壁面に触れないように、少なくとも上記ブラシ毛近傍において上記シャフトを支持する支持部材を有することを特徴とする。
【０００６】
なお、上記シャフトが可撓性を有していてもよい。また、上記支持部材が、立設された枠状に形成されていて、その壁部に、上記シャフトを通すための孔又は溝が形成されていてもよく、上記支持部材が、立設された塀状に形成されていて、その壁部に、上記シャフトを通すための孔又は溝が形成されていてもよい。
【０００７】
また、上記支持部材が、弾力性を有する材料によって立設された板状に形成されていて、その板部に、上記シャフトを通すための孔又は溝が形成されていてもよい。
【０００８】
【発明の実施の形態】
図面を参照して本発明の実施の形態を説明する。
図１及び図２は、本発明の第１の実施の形態を示しており、図１は斜視図、図２は側面断面図である。
【０００９】
１０は、内視鏡の管路内をブラッシングして掃除するための内視鏡用ブラシであり、可撓性のある細長いシャフト１１の先端部分に、例えばナイロンのような可撓性のあるプラスチック製繊維からなるブラシ毛１２が放射状に植設されている。なお、擦過細胞診用の内視鏡用ブラシであってもよい。
【００１０】
２０は、内視鏡用ブラシ１０を高圧蒸気滅菌装置内での滅菌消毒時に支えるための内視鏡用ブラシ支持具であり、４つ壁部２１が長方形状に立設された枠体状に形成されている。
【００１１】
ブラシ支持具２０は、高圧蒸気滅菌時に滅菌室内が非常に高温になった場合（例えば１３２℃、２気圧）の環境でも変形しない、例えばステンレス、アルミニウム、ポリプロピレン、シリコンゴム又はフッ素ゴム等のような金属材料又は耐熱性のあるプラスチック材料或いはゴム材料によって形成されている。
【００１２】
そして、ブラシ支持具２０の四面の壁部２１のうちの一つの壁部２１ａには、内視鏡用ブラシ１０のシャフト１１を通して支持するための孔２２が穿設されている。
【００１３】
ブラシ支持具２０の内部空間はブラシ毛１２部分を余裕をもって囲むだけの広さがあり、孔２２はシャフト１１からブラシ毛１２の毛先までの長さより高い位置に穿設されている。
【００１４】
したがって、シャフト１１を孔２２に通すことによって、ブラシ毛１２が周囲の床面及び壁面に触れない状態で、内視鏡用ブラシ１０がブラシ毛１２の近傍で支えられる。
【００１５】
その結果、内視鏡用ブラシ１０を高圧蒸気滅菌装置に入れて高温高圧の環境下に長時間放置しても、ブラシ毛１２は変形しない。なお、孔２２に代えて、上方が開放された溝を壁部２１ａに形成してもよい。
【００１６】
図３は、本発明の第２の実施の形態を示しており、ブラシ支持具２０を、立設された一枚の塀状に形成したものであり、その壁部２４に、内視鏡用ブラシ１０のシャフト１１を通して支持するための上方が開放された溝２５が形成されている。
【００１７】
溝２５の下端はシャフト１１からブラシ毛１２の毛先までの長さより高い位置にあるので、シャフト１１をブラシ毛１２の近傍で溝２５の下端面に載せることによって、ブラシ毛１２が周囲の床面及び壁面に触れない状態で内視鏡用ブラシ１０を支えることができる。
【００１８】
その結果、内視鏡用ブラシ１０を高圧蒸気滅菌装置に入れて高温高圧の環境下に長時間放置しても、ブラシ毛１２は変形しない。なお、溝２５に代えて、内視鏡用ブラシ１０のシャフト１１が通る孔を穿設してもよい。
【００１９】
図４は本発明の第３の実施の形態を示しており、耐熱性と弾力性のある例えばシリコンゴム又はフッ素ゴムのようなエラストマーを用いて支持部材２７を円板状に形成し、その外縁部から中央部分付近に達するスリット２８を円板部に形成したものである。
【００２０】
このように構成しても、支持部材２７の径を一定以上に形成して立設することによって、シャッフト１１をスリット２８の奥の部分に嵌め込んで、ブラシ毛１２が床面等に触れないように支持することができる。
【００２１】
なお、シャフト１１を支持する部分ではスリット２８を少し太く孔状に拡げて形成してもよく、外縁形状を楕円形又は多面形にすれば使用時の安定性が増す。また、図５に示されるように、スリット２８部分で円板面を二重に重ね合わせるようにしてもよい。
【００２２】
【発明の効果】
本発明によれば、高圧蒸気滅菌時の環境によって変形しない耐熱性材料によって形成された支持部材によって、内視鏡用ブラシをブラシ毛が周囲の床面及び壁面に触れないように支持することができるので、ブラシ毛を変形させることなく、内視鏡用ブラシを高圧蒸気滅菌装置内で確実に滅菌消毒することができる。
【図面の簡単な説明】
【図１】本発明の第１の実施の形態の斜視図である。
【図２】本発明の第１の実施の形態の側面断面図である。
【図３】本発明の第２の実施の形態の斜視図である。
【図４】本発明の第３の実施の形態の斜視図である。
【図５】本発明の第４の実施の形態の斜視図である。
【図６】従来例の側面図である。
【符号の説明】
１０  内視鏡用ブラシ
１１  シャフト
１２  ブラシ毛
２０  ブラシ支持具
２１，２４  壁部
２２  孔
２５  溝
２７  支持部材
２８  スリット
【図１】
0003650480.tif 000002
【図２】
0003650480.tif 000003
【図３】
0003650480.tif 000004
【図４】
0003650480.tif 000005
【図５】
0003650480.tif 000006
【図６】
0003650480.tif 000007